(57)【要約】【課題】枝径寸法に関わらず不特定枝径寸法に対応して被切取り枝の把持を可能とし、採収ができるようにする。【解決手段】不特定の枝径寸法においても切断と同時に被切取り枝を把持可能とするため、枝径寸法に関わらず被切取り枝９を即把持可能とする固定板１と、不特定枝径寸法に自在対応する押さえ板２と、この押さえ板２に所定の押圧力を構成するコイル・スプリング６の装置と、からなる把持機能装置を、鋏の有する切断機能を損なうことなく該刃部に沿って構成する。【選択図】図１
2005198503.tif 000002
【特許請求の範囲】
【請求項１】
鋏の刃部に装着され、枝径寸法に関わらず不特定の枝径に対応し、被切取り枝を常に把持可能とする機能を有することを特徴とする切取り枝把持装置。
【請求項２】
請求項１の枝径寸法に関わらず被切取り枝を把持可能とする機能が、鋏の刃部一方の側面に沿って固定される固定板と、鋏の切断機能を妨げることなく該固定板と組み合うようにもう一方の鋏刃部の側面に沿って設けられ、刃先寄り位置にある先端部分を位置固定するピンを中心軸としてもう一方側を上方のみに回動可能とする押さえ板と、切り取り枝径に自在対応し押さえ板の回動端部に被切取り枝を把持可能とする所要の押圧力を付加させるため所要のばね力を構成するスプリング装置と、からなることを特徴とする請求項１記載の切取り枝把持装置。
【発明の詳細な説明】
【技術分野】
【０００１】
本発明は、切り取り枝径寸法に関わらず被切取り枝を把持可能とする切取り枝把持装置に関するものである。
【背景技術】
【０００２】
枝切り鋏のなかで、脚立又は剪定用梯子などを用いることなく高所の枝を切り取ることのできる高枝切り鋏は、剪定用又は刈払い用利器具として広く実用に供されている。
しかし、切取り鋏としての機能構造から、切り取ると同時に被切取り枝を把持し採収することはできなかった。
【０００３】
この改善策として、高所枝の採収や果実の枝ごと採収しを可能とするため、該枝を切断と同時に被切取り枝を把持して落とさずに枝ごと採収するように工夫された高枝切鋏用のアタッチメントが最近実用に供されている。
このアタッチメントは、一定の枝径寸法において、鋏としての切断機能を妨げることなく該鋏の上下刃それぞれ一方の側面に取り付け又は刃のカバーとして取り付けることで、切断と同時に被切取り枝を該アタッチメントが挟み把持し採収ができるようになされている。
【０００４】
しかし、このアタッチメントは、いずれも鋏の上下刃に位置固定されるものであることから、切り取り把持可能とする枝径は予め一定寸法内に限定され、鋏自体の有する切断機能範囲を制限することになり、このため不特定の枝径寸法には無理が多く対応できないという欠点があった。
【非特許文献１】（株）松本商店  〒７９７−００４４  愛媛県東宇和郡宇和町加茂１５１  （園芸用品欄における  高枝切鋏）
【発明の開示】
【発明が解決しようとする課題】
【０００５】
解決しようとする課題は、枝の切断と同時に被切取り枝を把持し採収する手段において、アタッチメントの装着により該鋏自体の有する切断機能が一定範囲内に制限され、不特定の枝径寸法に対応できない点である。
【課題を解決するための手段】
【０００６】
本発明は、鋏自体の有する切断可能範囲において、不特定の枝径寸法においても切断と同時に被切取り枝の把持を可能にするため、枝径寸法に関わらず被切取り枝を即把持を行う固定板と、不特定枝径寸法に対応する押さえ板と、この押さえ板に所要の押圧力を付加するコイル・スプリングと、からなる把持機能を鋏の刃部に沿って構成したことを最も主要な特徴とする。
【発明の効果】
【０００７】
本発明の切取り枝把持装置は、枝径寸法に関わらず被切取り枝の把持を可能とするため、切り取り枝径諸条件で該鋏の有する切断許容機能を最大限に発揮できるという大きな利点がある。
【０００８】
鋏の下刃に設ける固定板と組み合う押さえ板の上刃の刃先寄りの先端部分のみがピンで位置固定され、ピンを中心軸とし、もう一方の端部側が上方のみに所要の押圧力を備えて回動可能としたことは、鋏の使用時諸条件で切取り枝を、枝径寸法に応じて刃元寄りへくわえ込むことになり、容易に切断ができるという効果が大きい。
【発明を実施するための最良の形態】
【０００９】
枝切り取り採収作業において、枝径寸法に関わらず被切取り枝を把持可能とする目的を、最少の部品点数で、鋏の有する切断範囲機能を妨げることなく実現した。
【実施例１】
【００１０】
本発明の１実施例で、図１は全体斜視図、図２は図１の右側面図、図３は図２の使用の状態を示す説明図、図４は図３の反対側の側面図である。
【００１１】
本発明の主体は、鋏における切取り枝把持具系の実装方法にあるので、枝切り鋏や刈込み鋏、剪定鋏等における機能機構系の説明は省略する。
以下図面に基づいて詳細に説明する。
【００１２】
鋏の下刃５の一方の側面に、刃部に沿って若干の幅寸法を構成する固定板１が鋲１’によって位置固定され、この固定板１と組み合い被切取り枝９を把持するため同じ幅寸法を有する押さえ板２が、上刃４の側面に鋏としての切断機能を妨げることなく設けられている。
なお、使用時、被切取り枝９の把持を確実にするため、固定板１と押さえ板２の向き合う面はそれぞれに荒いギザ状に加工されている。
【００１３】
上刃４の側面に設けられる押さえ板２は、若干寸法の刃部を残して上刃４の刃先端部に位置する先端部分をピン２’により位置固定しかつ回動可能構造とすることで、このピン２’を中心軸とし、押さえ板２のもう一方側部分が回動自在であるようになされている。
なお、押さえ板２の回動自在側端部下部には、上刃４に接する側面に切り欠き部２”を形成し、上刃４側に設けられるストッパ板４’と組み合うことで下降をストップさせ、上刃４に予め設定される所定寸法の刃部が確保されるようにし、回動端部が上方のみに回動可能であるようになされている。
【００１４】
押さえ板２の上方のみ回動可能とされる端部側が、鋏の使用時、切り取り枝径寸法諸条件に応じてピン２’を中心軸とし上方に動き、該被切取り枝９を挟み込み把持を可能とする所要の押圧力を付加するため所定のばね力を構成するコイル・スプリング６が設けられている。
コイル・スプリング６は、押さえ板２の反対側に位置し上刃４の支点ピン７を中心軸として上刃４の側面に取り付けられ、巻き終わり端部の一方を上刃４に設けるストッパ板８に掛けて固定し、もう一方側が上刃４側面を介して押さえ板２回動側端部の上部に形成される若干長さ寸法の切り欠き部３内に掛かるようにし、使用時における被切取り枝９の枝径寸法に対応して可動する押さえ板２の動作を損なうことのないように、コイル・スプリング６の押さえ端部が該切り欠き部３内を移動できるようにすることで、被切取り枝９における所要の把持機能を可能としている。
【００１５】
このような切取り枝把持具系の実装形態を採用したので、切り取り枝径寸法に関わらず、該鋏の有する切断機能の範囲内において不特定枝径寸法に対応し、不特定の被切取り枝の把持を可能にし採収が容易にできるという効果がある。
【産業上の利用可能性】
【００１６】
鋏の有する切断機能範囲において、不特定枝径寸法に関わらず枝切り取り把持し採収できるので、刈り込み、剪定及び果実の枝ごと採収作業以外に、例えば害虫発生の枝ごと駆除や昆虫の性態観察に必要な枝ごと採集などの用途にも適用できる。
【図面の簡単な説明】
【００１７】
【図１】切取り枝把持装置の構成を示す全体斜視図である。（実施例１）
【図２】鋏の下刃５に固定板１、上刃４に押さえ板２が取り付けられた状態を示す側面図である。
【図３】図２の使用状態を示す説明図である。
【図４】図３でコイル・スプリング６が装置された状態を示す側面図である。
【符号の説明】
【００１８】
１  固定板
１’  鋲
２  押さえ板
２’  ピン
２”、３  切り欠き部
４  上刃
４’、８  ストッパ板
５  下刃
６  コイル・スプリング
７  支点ピン
９  被切取り枝
【図１】
2005198503.tif 000003
【図２】
2005198503.tif 000004
【図３】
2005198503.tif 000005
【図４】
2005198503.tif 000006